(57)【要約】【課題】  本発明の課題は、利用者の所在位置を、簡単に、容易に、確認できるシステムを提供することである。【解決手段】  利用者データ送信要求を、ＩＣカード１００に送信して、利用者識別情報１９１と通知住所情報１９３とを受信して、これと場所名称情報３９１を含む所在データ５９１を作成して、これを、前記通知住所情報１９３を持つ所在把握サーバ装置５００に送信する入場門装置３００と、入場門装置３００から、利用者データ送信要求を受け付けて、利用者識別情報１９１と通知住所情報１９３とを、返信するＩＣカード１００と、入場門装置３００から、所在データ５９１を受信して、これを所在表示端末装置７００に送信する所在把握サーバ装置５００と、所在把握サーバ装置５００から、所在データ５９１を受信して、これを表示する所在表示端末装置７００と、から構成されることを特徴とする所在表示システムである。【選択図】  図１
2008102918.tif 000002
【特許請求の範囲】
【請求項１】
接触型、または、非接触型ＩＣカードと、ネットワーク接続された入場門装置と第１の所在把握サーバ装置と所在表示端末装置と第２の所在把握サーバ装置と、から構成される所在表示システムであって、
前記入場門装置は、
場所名称情報を記憶する記憶手段と、
利用者データ送信要求を、ＩＣカードに、送信する利用者データ送信要求手段と、
ＩＣカードから、利用者識別情報と通知住所情報とを受信する利用者データ受信手段と、
前記受信した利用者識別情報と通知住所情報とを用いて、前記場所名称情報を含む所在データを作成する所在データ作成手段と、
前記作成された所在データを、第１の所在把握サーバ装置に、送信する所在データ送信手段と、
を備える入場門装置であって、
前記ＩＣカードは、
通知住所情報と利用者識別情報とを、記憶する記憶手段と、
入場門装置から、利用者データ送信要求を受け付けて、前記利用者識別情報と通知住所情報とを、返信する利用者データ返信手段と、
を備えるＩＣカードであって、
前記第１の所在把握サーバ装置は、
入場門装置から、所在データを受信する所在データ受信手段と、
前記受信した所在データを、所在表示装置に、送信する所在データ送信手段と、
前記受信した所在データに含まれる通知住所情報を用いて、前記受信した所在データを、
前記通知住所情報を持つ第２の所在把握サーバ装置に、転送する所在データ転送手段と、
を備えるサーバ装置であって、
所在表示端末装置は、
第１の所在把握サーバ装置から、所在データを、受信する所在データ受信手段と、
前記受信した所在データを、表示する所在データ表示手段と、
を備える端末装置であって、
前記第２の所在把握サーバ装置は、
前記第１の所在把握サーバ装置から、所在データを、受信する所在データ受信手段と、
前記受信した所在データを、所在表示装置に送信する所在データ送信手段と、
を備えるサーバ装置である、
ことを特徴とする所在表示システム。
【請求項２】
接触型、または、非接触型ＩＣカードと、ネットワーク接続された入場門装置と所在把握サーバ装置と所在表示端末装置と、から構成される所在表示システムであって、
前記入場門装置は、
場所名称情報を記憶する記憶手段と、
利用者データ送信要求を、ＩＣカードに、送信する利用者データ送信要求手段と、
ＩＣカードから、利用者識別情報と通知住所情報とを受信する利用者データ受信手段と、
前記受信した利用者識別情報と通知住所情報とを用いて、前記場所名称情報を含む所在データを作成する所在データ作成手段と、
前記作成された所在データに含まれる通知住所情報を用いて、前記作成した所在データを、前記通知住所情報を持つ所在把握サーバ装置に、送信する所在データ送信手段と、
を備える入場門装置であって、
前記ＩＣカードは、
通知住所情報と利用者識別情報とを、記憶する記憶手段と、
入場門装置から、利用者データ送信要求を受け付けて、前記利用者識別情報と通知住所情報とを、返信する利用者データ返信手段と、
を備えるＩＣカードであって、
前記所在把握サーバ装置は、
入場門装置から、所在データを受信する所在データ受信手段と、
前記受信した所在データを、所在表示装置に、送信する所在データ送信手段と、
を備えるサーバ装置であって、
前記所在表示端末装置は、
所在把握サーバ装置から、所在データを、受信する所在データ受信手段と、
前記受信した所在データを、表示する所在データ表示手段と、
を備える端末装置である、
ことを特徴とする所在表示システム。
【請求項３】
通知住所情報と利用者識別情報とを記憶するＩＣカードと、場所名称情報と、を用いる所在表示方法であって、
前記ＩＣカードから、利用者識別情報と通知住所情報とを受信して、これらと前記場所名称情報とを含む所在データを作成する所在データ作成ステップと、
前記作成された所在データを、表示する所在データ表示ステップと、
前記作成された所在データに含まれる通知住所情報に、前記作成した所在データを、転送する所在データ転送ステップと、
前記転送された所在データを、表示する転送された所在データ表示ステップと、
を含んだ手順でなされることを特徴とする所在表示方法。
【請求項４】
通知住所情報と利用者識別情報とを記憶するＩＣカードと、場所名称情報と、を用いる所在表示方法であって、
前記ＩＣカードから、利用者識別情報と通知住所情報とを受信して、これらと前記場所名称情報とを含む所在データを作成する所在データ作成ステップと、
前記作成された所在データに含まれる通知住所情報に、前記作成した所在データを、送信する所在データ送信ステップと、
前記送信された所在データを、表示する転送された所在データ表示ステップと、
を含んだ手順でなされることを特徴とする所在表示方法。
【請求項５】
コンピュータに組込むことによって、コンピュータを請求項１、または、請求項２に記載の所在表示システムとして動作させるコンピュータプログラム。
【請求項６】
請求項５に記載のコンピュータプログラムを記録したコンピュータ読取り可能な記録媒体。
【発明の詳細な説明】
【技術分野】
【０００１】
本発明は、利用者の現在位置を表示するシステム、および、その方法に関するものである。
【背景技術】
【０００２】
従来から、ＩＣカードを用いて、利用者が所定の管理領域に存在することを把握している。
【０００３】
たとえば、特許文献１では、建物の各部屋に設けられたゲートにて、ＩＣタグを検知して、ＩＣタグを携帯する利用者の現在位置をデータベースに登録して、このデータベースに利用者の所在場所を問い合わせて確認する技術が開示されている。（従来技術１）
【特許文献１】特開２００５−６４７２５号公報（４〜５、９〜１０ページ、図１、７〜９）
【発明の開示】
【発明が解決しようとする課題】
【０００４】
ところで、従来技術１では、所定エリアごとに、建物のゲートを管理するので、異なるエリアの建物（＝たとえば、社内出張で訪問した遠隔地の建物）での所在を確認できないという欠点があった。また、所在場所は、データベースに問い合わせなければならず、問い合わせ作業の負荷がかかるという問題点があった。
【０００５】
本発明はこのような従来技術を考慮してなされたものであって、本発明の課題は、利用者の所在位置を、簡単に、容易に、確認できるシステムを提供することである。
【課題を解決するための手段】
【０００６】
本発明は、以下のような解決手段により、前記課題を解決する。すなわち、請求項１の発明は、接触型、または、非接触型ＩＣカードと、ネットワーク接続された入場門装置と第１の所在把握サーバ装置と所在表示端末装置と第２の所在把握サーバ装置と、から構成される所在表示システムであって、前記入場門装置は、場所名称情報を記憶する記憶手段と、利用者データ送信要求を、ＩＣカードに、送信する利用者データ送信要求手段と、ＩＣカードから、利用者識別情報と通知住所情報とを受信する利用者データ受信手段と、前記受信した利用者識別情報と通知住所情報とを用いて、前記場所名称情報を含む所在データを作成する所在データ作成手段と、前記作成された所在データを、第１の所在把握サーバ装置に、送信する所在データ送信手段と、を備える入場門装置であって、前記ＩＣカードは、通知住所情報と利用者識別情報とを、記憶する記憶手段と、入場門装置から、利用者データ送信要求を受け付けて、前記利用者識別情報と通知住所情報とを、返信する利用者データ返信手段と、を備えるＩＣカードであって、前記第１の所在把握サーバ装置は、入場門装置から、所在データを受信する所在データ受信手段と、前記受信した所在データを、所在表示装置に、送信する所在データ送信手段と、前記受信した所在データに含まれる通知住所情報を用いて、前記作成した所在データを、前記通知住所情報を持つ第２の所在把握サーバ装置に、転送する所在データ転送手段と、を備えるサーバ装置であって、所在表示端末装置は、第１の所在把握サーバ装置から、所在データを、受信する所在データ受信手段と、前記受信した所在データを、表示する所在データ表示手段と、を備える端末装置であって、前記第２の所在把握サーバ装置は、前記第１の所在把握サーバ装置から、所在データを、受信する所在データ受信手段と、前記受信した所在データを、所在表示装置に送信する所在データ送信手段と、を備えるサーバ装置である、ことを特徴とする所在表示システムである。
【０００７】
このように、ＩＣカードが入場した場所の名称を、最寄りの所在表示端末装置と、送信先の所在表示端末装置とに、表示することができる。
【０００８】
請求項２の発明は、接触型、または、非接触型ＩＣカードと、ネットワーク接続された入場門装置と所在把握サーバ装置と所在表示端末装置と、から構成される所在表示システムであって、前記入場門装置は、場所名称情報を記憶する記憶手段と、利用者データ送信要求を、ＩＣカードに、送信する利用者データ送信要求手段と、ＩＣカードから、利用者識別情報と通知住所情報とを受信する利用者データ受信手段と、前記受信した利用者識別情報と通知住所情報とを用いて、前記場所名称情報を含む所在データを作成する所在データ作成手段と、前記作成された所在データに含まれる通知住所情報を用いて、前記作成した所在データを、前記通知住所情報を持つ所在把握サーバ装置に、送信する所在データ送信手段と、を備える入場門装置であって、前記ＩＣカードは、通知住所情報と利用者識別情報とを、記憶する記憶手段と、入場門装置から、利用者データ送信要求を受け付けて、前記利用者識別情報と通知住所情報とを、返信する利用者データ返信手段と、を備えるＩＣカードであって、前記所在把握サーバ装置は、入場門装置から、所在データを受信する所在データ受信手段と、前記受信した所在データを、所在表示装置に、送信する所在データ送信手段と、を備えるサーバ装置であって、前記所在表示端末装置は、所在把握サーバ装置から、所在データを、受信する所在データ受信手段と、前記受信した所在データを、表示する所在データ表示手段と、を備える端末装置である、ことを特徴とする所在表示システムである。
【０００９】
請求項３の発明は、通知住所情報と利用者識別情報とを記憶するＩＣカードと、場所名称情報と、を用いる所在表示方法であって、前記ＩＣカードから、利用者識別情報と通知住所情報とを受信して、これらと前記場所名称情報とを含む所在データを作成する所在データ作成ステップと、前記作成された所在データを、表示する所在データ表示ステップと、前記作成された所在データに含まれる通知住所情報に、前記作成した所在データを、転送する所在データ転送ステップと、前記転送された所在データを、表示する転送された所在データ表示ステップと、を含んだ手順でなされることを特徴とする所在表示方法である。
【００１０】
請求項４の発明は、通知住所情報と利用者識別情報とを記憶するＩＣカードと、場所名称情報と、を用いる所在表示方法であって、前記ＩＣカードから、利用者識別情報と通知住所情報とを受信して、これらと前記場所名称情報とを含む所在データを作成する所在データ作成ステップと、前記作成された所在データに含まれる通知住所情報に、前記作成した所在データを、送信する所在データ送信ステップと、前記送信された所在データを、表示する転送された所在データ表示ステップと、を含んだ手順でなされることを特徴とする所在表示方法である。
【００１１】
請求項５の発明は、コンピュータに組込むことによって、コンピュータを請求項１、または、請求項２に記載の所在表示システムとして動作させるコンピュータプログラムである。
【００１２】
請求項６の発明は、請求項５に記載のコンピュータプログラムを記録したコンピュータ読取り可能な記録媒体である。
【発明の効果】
【００１３】
本願発明によれば、異なるエリアの建物（＝たとえば、社内出張で訪問した遠隔地の建物）にいる利用者の所在を、確認することが可能となる。また、利用者の所在場所の情報を問い合わせる作業を不要とすることが可能である。
【発明を実施するための最良の形態】
【００１４】
（実施例）
以下、図面等を参照しながら、本発明の実施の形態について、更に詳しく説明する。
【００１５】
図１は、所在表示システム１の概要を説明する図である。所在表示システム１は、接触型、または、非接触型ＩＣカード１００と、ネットワーク接続された入場門装置３００と第１の所在把握サーバ装置５００と所在表示端末装置７００と第２の所在把握サーバ装置５００と、から構成される。
【００１６】
入場門装置３００は、安全保護管理領域９００への入場を管理する。
【００１７】
入場門装置３００は、ＩＣカード読取装置を備える。入場門装置３００は、その入場門装置３００が設置されている場所を示す場所名称情報３９１を記憶している。また、入場門装置３００は、第１の所在把握サーバ装置５００のアドレスを記憶しており、ＩＣカード１００から利用者識別情報１９１と通知住所情報１９３を受信した場合に、場所名称情報を付加した所在データ５９１を作成し、第１の所在把握サーバ装置５００に送信する。ＩＣカード１００は、利用者が保持するＩＣカードであり、通知住所情報１９３（たとえば、第２の所在把握サーバ装置５００のＵＲＬ）と、利用者識別情報１９１（たとえば、利用者ＩＤ番号）とを、記憶する。第１の所在把握サーバ装置５００は、入場門装置３００から送信されてくる所在データ５９１を記憶する。また、第１の所在把握サーバ装置５００は、第１の所在表示端末装置７００のアドレスを記憶しており、受信した所在データ５９１を第１の所在表示端末装置７００に送信する。
【００１８】
なお、所在データ５９１は、利用者識別情報１９１と、通知住所情報１９３と、場所名称情報３９１とを含む情報である。
【００１９】
図２は、所在表示システム１の処理の流れを説明する図である。
【００２０】
利用者が、ＩＣカード１００を保持した状態で、入場門装置３００の付近を通過し、入場門装置３００がＩＣカード１００の接近を検知すると、入場門装置３００は、利用者データ送信要求を、ＩＣカード１００に送信する（図２（１））。
【００２１】
ＩＣカード１００は、入場門装置３００から利用者データ送信要求を受け付けて、利用者識別情報１９１と通知住所情報１９３とを入場門装置３００に返信する（同（２））。
【００２２】
入場門装置３００は、ＩＣカード１００から受信した利用者識別情報１９１と通知住所情報１９３とを用いて、場所名称情報３９１を含む所在データ５９１を作成して、第１の所在把握サーバ装置５００に送信する（同（３））。
【００２３】
第１の所在把握サーバ装置５００は、所在データ５９１を受信する（同（４））。
【００２４】
第１の所在把握サーバ装置５００は、受信した所在データ５９１を、第１の所在表示端末装置７００に送信する（同（５））。第１の所在表示端末装置７００は、第１の所在把握サーバ装置５００から、所在データ５９１を受信して表示する（同（６））。
【００２５】
第１の所在把握サーバ装置５００は、受信した所在データ５９１に含まれる通知住所情報１９３を用いて、受信した所在データ５９１を、通知住所情報１９３を持つ第２の所在把握サーバ装置５００に転送する（同（７））。
【００２６】
第２の所在把握サーバ装置５００は、第１の所在把握サーバ装置５００から、所在データ５９１を受信する（同（８））。第２の所在把握サーバ装置５００は、受信した所在データ５９１を、第２の所在表示端末装置７００に送信する（同（９））。
【００２７】
第２の所在表示端末装置７００は、所在データ５９１を受信して表示する（同（１０））。
【００２８】
このように、ＩＣカードの利用者が、異なる安全保護管理領域９００に入場した場合に、通知住所情報１９３を用いることで、所定の安全保護管理領域９０１の所在把握サーバ装置（第２の所在把握サーバ装置５００）および所在表示端末装置（第２の所在表示端末装置７００）に、所在データ５９１を送信することが可能となる。
【００２９】
たとえば、ＩＣカードの利用者が、出張して、遠隔地にある安全保護管理領域９００に到着すると、出張元に、自動的に連絡が入るという利点がある。
【００３０】
所属先（出張元）の行き先表示板に、自動的に表示することが可能となる。出張元では、出張先に問い合わせる必要が無いという効果が得られる。
【００３１】
なお、第１の所在把握サーバ装置５００は、所在データ５９１を、通知住所情報１９３に従って、直接に第２の所在表示端末装置７００に送信してもよい。
【００３２】
このとき、所在データ５９１を、加工（たとえば、場所名称情報３９１の詳細部分を削除加工）して転送してもよい。
【００３３】
図３は、所在表示システム１の詳細な構成図である。所在表示システム１は、接触型、または、非接触型ＩＣカード１００と、ネットワーク接続された入場門装置３００と第１の所在把握サーバ装置５００と第１の所在表示端末装置７００と第２の所在把握サーバ装置５００と、から構成される。
【００３４】
入場門装置３００は、利用者データ送信要求手段３１０と、利用者データ受信手段３２０と、所在データ作成手段３３０と、所在データ送信手段３４０と、記憶手段３９０を備える。記憶手段３９０は、場所名称情報３９１を記憶している。
【００３５】
利用者データ送信要求手段３１０は、利用者データ送信要求を、ＩＣカード１００に送信する。利用者データ受信手段３２０は、ＩＣカード１００から、利用者識別情報１９１と通知住所情報１９３とを受信する。
【００３６】
所在データ作成手段３３０は、受信した利用者識別情報１９１と通知住所情報１９３とを用いて、場所名称情報３９１を含む所在データ５９１を作成する。
【００３７】
所在データ送信手段３４０は、作成された所在データ５９１を、設定された第１の所在把握サーバ装置５００のアドレスに従って、第１の所在把握サーバ装置５００に送信する。
【００３８】
ＩＣカード１００は、利用者データ返信手段１１０と、記憶手段１９０とを備える。記憶手段１９０は、通知住所情報１９３と利用者識別情報１９１とを記憶している。
【００３９】
利用者データ返信手段１１０は、入場門装置３００から、利用者データ送信要求を受け付けて、利用者識別情報１９１と通知住所情報１９３とを返信する。
【００４０】
第１の所在把握サーバ装置５００は、所在データ受信手段５４０と、所在データ送信手段５５０と、所在データ転送手段５７０とを備える。第２の所在把握サーバ装置５００も、基本的には、第１の所在把握サーバ装置５００と同様の構成となっている。
【００４１】
所在データ受信手段５４０は、入場門装置３００から、所在データ５９１を受信する。所在データ送信手段５５０は、設定された第１の所在表示端末装置７００のアドレスに従って、受信した所在データ５９１を、第１の所在表示端末装置７００に送信する。
【００４２】
所在データ転送手段５７０は、受信した所在データ５９１に含まれる通知住所情報１９３を用いて、受信した所在データ５９１を、通知住所情報１９３を持つ第２の所在把握サーバ装置５００に転送する。
【００４３】
第１の所在表示端末装置７００は、所在データ受信手段７５０と、所在データ表示手段７６０とを備える。第２の所在表示端末装置７００も、基本的には、第１の所在表示端末装置７００と同様の構成となっている。
【００４４】
所在データ受信手段７５０は、所在把握サーバ装置５００から、所在データ５９１を受信する。所在データ表示手段７６０は、受信した所在データ５９１を表示する。
【００４５】
利用者データ返信手段１１０と、利用者データ送信要求手段３１０と、利用者データ受信手段３２０と、所在データ作成手段３３０と、所在データ送信手段３４０と、所在データ受信手段５４０と、所在データ送信手段５５０と、所在データ転送手段５７０と、所在データ受信手段７５０と、所在データ表示手段７６０とは、コンピュータプログラムにより実現される。
【００４６】
通知住所情報１９３と、利用者識別情報１９１と、場所名称情報３９１とは、コンピュータプログラムが可読なデータである。記憶手段１９０と、記憶手段３９０とは、メモリである。
【００４７】
図４は、所在データ５９１の構造を説明する図である。所在データ５９１の項目は、利用者識別情報５９１ａと、場所名称情報５９１ｂと、入場日時情報５９１ｃと、通知住所情報５９１ｄと、から構成される。
【００４８】
利用者識別情報５９１ａは、ユニークな文字列である。場所名称情報５９１ｂは、たとえば、建物や部屋の名称である。入場日時５９１ｃは、年月日と、時刻である。通知住所情報５９１ｄは、ＵＲＬである。
【００４９】
（変形例）
次に、入場門装置３００が所在データ５９１を、直接に所望の所在把握サーバ装置に送信する変形例を説明する。
【００５０】
図５は、所在表示システム２の詳細な構成図である。接触型、または、非接触型ＩＣカード１００と、ネットワーク接続された入場門装置３００と所在把握サーバ装置５００と所在表示端末装置７００と、から構成される。
【００５１】
入場門装置３００は、利用者データ送信要求手段３１０と、利用者データ受信手段３２０と、所在データ作成手段３３０と、所在データ通知手段３７０と、を備える。
【００５２】
所在データ通知手段３７０は、受信した所在データ５９１に含まれる通知住所情報１９３(たとえば、ＵＲＬ)を用いて、受信した所在データ５９１を、通知住所情報１９３を持つ所在把握サーバ装置５００に送信する。
【００５３】
利用者データ送信要求手段３１０と、利用者データ受信手段３２０と、所在データ作成手段３３０の機能は、図３の入場門装置３００の手段の機能と同じである。
【００５４】
所在把握サーバ装置５００は、所在データ受信手段５４０と、所在データ送信手段５５０と、を備える。
【００５５】
所在データ受信手段５４０と、所在データ送信手段５５０の機能は、図３の所在把握サーバ装置５００の手段の機能と同じである。
【００５６】
所在データ通知手段３７０は、コンピュータプログラムにより実現される。その他の手段は、図３の手段の実現方法と同じである。
【００５７】
変形例によれば、ＩＣカードの利用者が、異なる安全保護管理領域９００に入場した場合に、所定の安全保護管理領域９０１の所在把握サーバ装置（第２の所在把握サーバ装置５００）および所在表示端末装置（第２の所在表示端末装置７００）に、直接所在データ５９１を送信することが可能となる。
【００５８】
たとえば、ＩＣカードの利用者が、出張して、遠隔地にある安全保護管理領域９００に到着すると、出張元にのみ、自動的に連絡が入ることになる。
【００５９】
以上詳しく説明したように、本願発明によれば、異なるエリアの建物（＝たとえば、社内出張で訪問した遠隔地の建物）にいる利用者の所在を、確認することができた。また、利用者の所在場所の情報を問い合わせる作業が不要となった。
【図面の簡単な説明】
【００６０】
【図１】所在表示システム１の全体構成図である。
【図２】所在表示システム１の処理の流れを説明する図である。
【図３】所在表示システム１の詳細な構成図である。
【図４】所在データ５９１の形式を説明する図である。
【図５】（変形例）所在表示システム２の詳細な構成図である。
【符号の説明】
【００６１】
１  所在表示システム
１００  ＩＣカード
１１０  利用者データ返信手段
１９０  記憶手段
１９１  利用者識別情報
１９３  通知住所情報
３００  入場門装置
３１０  利用者データ送信要求手段
３２０  利用者データ受信手段
３３０  所在データ作成手段
３４０  所在データ送信手段
３７０  所在データ通知手段
３９０  記憶手段
３９１  場所名称情報
５００  所在把握サーバ装置
５４０  所在データ受信手段
５５０  所在データ送信手段
５７０  所在データ転送手段
５９１  所在データ
５９１ａ  利用者識別情報
５９１ｂ  場所名称情報
５９１ｃ  入場日時情報
５９１ｄ  通知住所情報
７００  所在表示端末装置
７５０  所在データ受信手段
７６０  所在データ表示手段
【図１】
2008102918.tif 000003
【図２】
2008102918.tif 000004
【図３】
2008102918.tif 000005
【図４】
2008102918.tif 000006
【図５】
2008102918.tif 000007